(57)【要約】【課題】  座板を形成する座板片をコンパクトに折り畳み、持ち運びを容易にすることを目的とする。【解決手段】  複数の座板片３、６に取り付けられた連結部材４、７により、複数の座板片３、６の中央に位置する座板片６を中心に、中央に位置する座板片６を挟んでいる複数（両側）の座板片３、３を回動し、中央に位置する座板片６と略水平な状態になる位置（所定の位置）まで回動した後、中央に位置する座板片６に取り付けられた脚部１０を、中央に位置する座板片６を中心に、脚部１０が複数の座板片３、６を支持できる位置に回転させることで座板２を形成し、保持することが可能な携帯用正座椅子１を提供する。【選択図】  図２０
2005204758.tif 000002
【特許請求の範囲】
【請求項１】
互いに連結することにより座板を形成することが可能となるように設けられた複数の座板片と、
複数の各々の前記座板片に取り付けられ、複数の前記座板片を連結するとともに、連結された前記座板片同士を互いに回動自在にすることが可能な連結部材と、
複数の前記座板片の中央の前記座板片に取り付けられ、複数の前記座板片の中央の前記座板片に対して回転可能である脚部と、を備えることを特徴とする携帯用正座椅子。
【請求項２】
複数の前記座板片の中央の前記座板片を中心に、前記連結部材により、その中央の前記座板片と連結された複数の前記座板片を回動させ、その中央の前記座板片に対して所定の位置まで前記脚部を回転させて、前記脚部により複数の前記座板片を支持することで複数の前記座板片により前記座板が形成されることを特徴とする請求項１に記載の携帯用正座椅子。
【請求項３】
前記脚部は、複数の前記座板片の中央の前記座板片に対して回転可能に取り付けられた中間板と、その中間板を支持するために、前記中間板と連結された台板と、を備えることを特徴とする請求項１又は２に記載の携帯用正座椅子。
【請求項４】
複数の前記座板片の中央の前記座板片を中心に、前記連結部材により、その中央の前記座板片と連結された複数の前記座板片を回動させ、その中央の前記座板片に対して所定の位置まで前記中間板を回転させて、前記中間板により複数の前記座板片を支持することで複数の前記座板片により前記座板が形成されることを特徴とする請求項１乃至３のいずれかに記載の携帯用正座椅子。
【請求項５】
前記中間板には、前記中間板の下面部より上面部へ向けて設けられた複数の穴部と、前記中間板の上面部の中央から下面部へ前記中間板を貫通する孔部と、が設けられ、前記孔部には雌ねじ状の溝が形成されていることを特徴とする請求項１乃至４のいずれかに記載の携帯用正座椅子。
【請求項６】
前記台板は、前記中間板に設けられた複数の前記穴部にそれぞれ挿入するための複数の突起部が上面部に設けられ、前記突起部が設けられた前記上面部の中央には下面部へ貫通する孔部が設けられ、前記下面部側には窪み部が形成された第一台板と、前記第一台板の前記窪み部に組み込まれ、前記第一台板を貫通する前記孔部へ挿入するための突起部を上面部の中央に設け、前記突起部を中心に前記第一台板の前記窪み部で回転可能な第二台板と、を備えることを特徴とする請求項１乃至５のいずれかに記載の携帯用正座椅子。
【請求項７】
前記第二台板の前記突起部は、前記第一台板の前記孔部を貫通し、前記中間板の前記孔部へ挿入され、前記中間板の前記孔部に設けられた前記雌ねじ状の溝と係合する雄ねじ状の溝が設けられていることを特徴とする請求項１乃至６のいずれかに記載の携帯用正座椅子。
【請求項８】
前記第二台板を前記第一台板の前記窪み部内で、前記第二台板の前記突起部を中心に回転させると、前記第二台板の前記突起部と前記中間板の前記孔部との係合により、前記中間板を前記第一台板から遠ざけたり、前記中間板を前記第一台板へ近づけたりすることが可能であることを特徴とする請求項１乃至７のいずれかに記載の携帯用正座椅子。
【請求項９】
複数の前記座板片の中央の前記座板片を中心に回動可能な複数の前記座板片の周囲には枠体が形成されていることを特徴とする請求項１乃至８のいずれかに記載の携帯用正座椅子。
【請求項１０】
前記枠体は、前記座板片の面部に対して垂直となるように形成され、前記座板片同士の回動により前記枠体同士が接触可能であることを特徴とする請求項１乃至９のいずれかに記載の携帯用正座椅子。
【発明の詳細な説明】
【技術分野】
【０００１】
本発明は、座板をコンパクトに折り畳むことができ、容易に持ち運び可能である携帯用正座椅子に関する。
【背景技術】
【０００２】
正座は、精神を修養し、交際礼法を極める茶道等において必要であるだけではなく、読経や礼拝を行うときにおいても必要である。特に、葬儀や法要の儀式等において僧侶が読経している間は正座の姿勢を長時間維持しなければならない。しかし、この正座を長時間行うことは、疲れやすく、且つ足のしびれや痛みを伴うことから、苦手とする人が多いということも事実である。このようにしびれや痛みを伴うことから、特に正座に慣れていない者にとっては、大変な苦痛を伴う姿勢であり、また、正座に慣れている者にとっても長時間にわたり正座の姿勢をとり続ければ相当な苦痛を伴うものである。さらに、膝に痛みを持っている者にとって、正座の姿勢を続けるということは膝に痛みがない者に比べはるかにつらいことである。
【０００３】
そのために、正座の姿勢を楽に保つための正座椅子が開発されており、中には分解してコンパクトに収納できるようにして、持ち運びができるように便宜が図られているものもある。特に、正座椅子をコンパクトにまとめて、持ち運びが可能な例としては、図２２に示すような正座椅子がある。図２２に示すように、ポーチ型正座椅子１００は、小型バックの形態をなしている。
【０００４】
このポーチ型正座椅子１００の筺体９０及び蓋部８０は硬質合成樹脂、硬質紙または合成皮革等の耐荷重性のある素材で形成されており、そのポーチ型正座椅子１００内に収納可能な座板７０が設けられている。そして、筺体９０内に収納された座板７０の中央部には座板７０の固定止め具６０ａを設けてあり、蓋部８０の上面中央部及び片方の側縁部５０の中央部には、座板７０の固定止め具６０ａと係止可能な止め具６０ｂを設けている。  
【０００５】
そして、筺体９０と、筺体９０内に収納された座板７０とを組み合わせることによりポーチ型正座椅子１００を構成することになる。具体的には、筺体９０内に収納された座板７０を取り出し、ポーチ型正座椅子１００の蓋部８０と座板７０が十字形状になるように蓋部８０及び座板７０の固定止め具６０ａ、６０ｂを用いて固定することにより簡単に正座椅子とすることができる。また、筺体９０や蓋部８０は、座る人の体重を支えるだけの十分に強度のある材料を用いているため正座椅子として使用することが可能である。また、一端の側縁部５０に固定止め具６０ｂを設けて座板７０を取り付けることが可能な構造としているため、他端の側縁部５０を底部とすれば、適度な高さが確保でき簡単な腰掛け用の小型椅子として利用することが可能になる（特許文献１参照）。
【０００６】
【特許文献１】特開２００１−１７２７０号公報（段落０００４から段落０００６、図１）
【発明の開示】
【発明が解決しようとする課題】
【０００７】
しかしながら、このポーチ型正座椅子１００は携帯用として持ち運び可能であるが、持ち運びに際し、座板７０は筺体９０内に収納されるとしても、筺体９０及び蓋部８０は分解されることなく正座椅子の形態としてそのまま保持され、手提げ用の紐部１２０を手で持ち、このポーチ型正座椅子１００を運ぶことになる。その際、筺体９０及び蓋部８０は折り畳まれる等されず、そのままの状態である。そのため、鞄等に入れ難く、このポーチ型正座椅子１００を単体で携帯することとなっても嵩張り易く必ずしも容易に持ち運びできるとは限らない。また、他の荷物を手に持つとなるとさらに嵩張り易くなる。そのようなことから、このポーチ型正座椅子１００を携帯用として持ち運びするというよりは、据え付け用の正座椅子として用いられる可能性の方が高い。
【０００８】
また、図２２に示すポーチ型正座椅子１００は、筺体９０の高さが決まっており、その筺体９０の上部に座板７０が取り付けられる構成であるため、このポーチ型正座椅子１００の高さが固定した状態で決まってしまい、座る人の体格によっては、非常に座り難かったりする可能性がある。つまり、座板７０と、ポーチ型正座椅子１００が置かれている床との間の距離（ポーチ型正座椅子１００の高さ）が決まってしまっているため、このポーチ型正座椅子１００によっては子供が使用するとポーチ型正座椅子１００が高いために座板７０と踵との間が空いてしまったり、逆に大柄な大人が使用すると座板７０と踵との間が狭すぎてしまったりということが生じる可能性がある。
【０００９】
さらに、このポーチ型正座椅子１００を簡単な小型腰掛け椅子とする場合でも、単に側縁部５０を底部として床の上に置くだけであるために座板７０と床との高さが決まってしまう（固定されてしまう）。そのために、このポーチ型正座椅子１００を正座椅子として用いるときと同様に、座る人の体格により座り易かったり、座り難かったりする可能性が高くなる。
【００１０】
本発明は、上記の事情に鑑みなされたものであり、正座椅子としての使用時には座板を形成し、正座椅子として使用しないときは、座板を折り畳みコンパクトにまとめ、容易に持ち運び可能にするとともに、座板と、正座椅子が置かれた床との間の距離を自在に変更することを可能にし、座る人の体格等に応じて正座椅子の使用を便利にする携帯用正座椅子を提供することを目的とする。
【課題を解決するための手段】
【００１１】
上記の目的を達成するために、請求項１に記載の発明は、互いに連結することにより座板を形成することが可能となるように設けられた複数の座板片と、複数の各々の前記座板片に取り付けられ、複数の前記座板片を連結するとともに、連結された前記座板片同士を互いに回動自在にすることが可能な連結部材と、複数の前記座板片の中央の前記座板片に取り付けられ、複数の前記座板片の中央の前記座板片に対して回転可能である脚部と、を備えることを特徴とする。
【００１２】
従って、請求項１に記載の発明によれば、複数の各々の座板片に連結部材を取り付けて、複数の座板片を連結し、各々連結された座板片同士はいずれの座板片に対しても回動することが可能であり、複数の座板片の中央に位置する座板片を中心に、その中央に位置する座板片を挟んでいる複数の座板片を所定の位置（その中央に位置する座板片と略水平となる位置）まで回動させた後、複数の座板片の中央に位置する座板片に取り付けられた脚部を、複数の座板片の中央に位置する座板片を中心に回転させることにより、複数の座板片を支持できる位置へ移動し、複数の座板片を支持することで座板を形成することが可能になる。
【００１３】
また、請求項２に記載の発明は、請求項１に記載の構成に加え、複数の前記座板片の中央の前記座板片を中心に、前記連結部材により、その中央の前記座板片と連結された複数の前記座板片を回動させ、その中央の前記座板片に対して所定の位置まで前記脚部を回転させて、前記脚部により複数の前記座板片を支持することで複数の前記座板片により前記座板が形成されることを特徴とする。
【００１４】
従って、請求項２に記載の発明によれば、複数の座板片の中央に位置する座板片を中心に、座板片同士を連結している連結部材の働きにより、中央に位置する座板片を挟んでいる複数（両側）の座板片を中央に位置する座板片と略水平な状態となる位置（水平な位置を含む）、つまり所定の位置まで回動させて、中央に位置する座板片に取り付けられた脚部を、中央に位置する座板片を中心に、中央に位置する座板片内に収まっている位置から複数の座板片を支持できる位置に回転させることで座板を形成し、保持することが可能になる。
【００１５】
さらに、請求項３に記載の発明は、請求項１又は２に記載の構成に加え、前記脚部は、複数の前記座板片の中央の前記座板片に対して回転可能に取り付けられた中間板と、その中間板を支持するために、前記中間板と連結された台板と、を備えることを特徴とする。
【００１６】
従って、請求項３に記載の発明によれば、脚部は、中間板及び台板を備え、中間板は複数の座板片の中央に位置する座板片に対して回転可能に取り付けられており、さらに中間板には台板が連結されており、台板により中間板を支持することが可能になっている。
【００１７】
また、請求項４に記載の発明は、請求項１乃至３のいずれかに記載の構成に加え、複数の前記座板片の中央の前記座板片を中心に、前記連結部材により、その中央の前記座板片と連結された複数の前記座板片を回動させ、その中央の前記座板片に対して所定の位置まで前記中間板を回転させて、前記中間板により複数の前記座板片を支持することで複数の前記座板片により前記座板が形成されることを特徴とする。
【００１８】
従って、請求項４に記載の発明によれば、複数の座板片の中央に位置する座板片を中心に、座板片同士を連結している連結部材の働きにより、中央に位置する座板片を挟んでいる複数（両側）の座板片を中央に位置する座板片と略水平な状態となる位置（水平な位置を含む）、つまり所定の位置まで回動させて、中央に位置する座板片に取り付けられた中間板を、中央に位置する座板片を中心に、中央に位置する座板片内に収まっている位置から複数の座板片を支持できる位置に回転させることで座板を形成し、保持することが可能になる。
【００１９】
さらに、請求項５に記載の発明は、請求項１乃至４のいずれかに記載の構成に加え、前記中間板には、前記中間板の下面部より上面部へ向けて設けられた複数の穴部と、前記中間板の上面部の中央から下面部へ前記中間板を貫通する孔部と、が設けられ、前記孔部には雌ねじ状の溝が形成されていることを特徴とする。
【００２０】
従って、請求項５に記載の発明によれば、中間板には、中間板の下面部に複数の穴部を設け、中間板の中央には上面部から下面部を貫通する孔部が設けられ、  その孔部には雌ねじ状の溝が形成され、台板と連結することを可能にする。
【００２１】
また、請求項６に記載の発明は、請求項１乃至５のいずれかに記載の構成に加え、前記台板は、前記中間板に設けられた複数の前記穴部にそれぞれ挿入するための複数の突起部が上面部に設けられ、前記突起部が設けられた前記上面部の中央には下面部へ貫通する孔部が設けられ、前記下面部側には窪み部が形成された第一台板と、前記第一台板の前記窪み部に組み込まれ、前記第一台板を貫通する前記孔部へ挿入するための突起部を上面部の中央に設け、前記突起部を中心に前記第一台板の前記窪み部で回転可能な第二台板と、を備えることを特徴とする。
【００２２】
従って、請求項６に記載の発明によれば、台板は、第一台板及び第二台板を備え、第一台板では、第一台板の中央位置で上面部から下面部へ貫通する孔部が設けられており、また、第一台板の上面部に複数の突起部が設けられ、中間板の下面部に設けられた複数の穴部に挿入し中間板と連結する第一台板に対して（座板を含めた）中間板が回転し難くすることが可能になり、第二台板は第一台板に設けられた窪み部内に組み込まれ、第二台板の上面部の中央位置に突起部が設けられ第一台板の中央位置の孔部へ挿入することが可能で、第一台板の窪み部内で第二台板は、第二台板に設けられた突起部を中心に回転することが可能である。
【００２３】
さらに、請求項７に記載の発明は、請求項１乃至６のいずれかに記載の構成に加え、前記第二台板の前記突起部は、前記第一台板の前記孔部を貫通し、前記中間板の前記孔部へ挿入され、前記中間板の前記孔部に設けられた前記雌ねじ状の溝と係合する雄ねじ状の溝が設けられていることを特徴とする。
【００２４】
従って、請求項７に記載の発明によれば、第二台板の突起部には雄ねじ状の溝が設けられ、第二台板の突起部が第一台板の中央を貫通する孔部を通り、中間板の孔部へ挿入され、中間板の孔部に設けられた雌ねじ状の溝と係合し、中間板、第一台板及び第二台板の連結が可能になり、脚部を形成することが可能になる。
【００２５】
また、請求項８に記載の発明は、請求項１乃至７のいずれかに記載の構成に加え、前記第二台板を前記第一台板の前記窪み部内で、前記第二台板の前記突起部を中心に回転させると、前記第二台板の前記突起部と前記中間板の前記孔部との係合により、前記中間板を前記第一台板から遠ざけたり、前記中間板を前記第一台板へ近づけたりすることが可能であることを特徴とする。
【００２６】
従って、請求項８に記載の発明によれば、第二台板を第一台板の窪み部内で、第二台板の突起部を中心に回転させることにより、第二台板の突起部の雄ねじ状の溝と中間板の孔部の雌ねじ状の溝との係合（螺合）により、中間板を第一台板から遠ざけ、座板の位置を高くしたり、中間板を第一台板へ近づけ、座板の位置を低くしたりすることを可能にする。
【００２７】
さらに、請求項９に記載の発明は、請求項１乃至８のいずれかに記載の構成に加え、複数の前記座板片の中央の前記座板片を中心に回動可能な複数の前記座板片の周囲には枠体が形成されていることを特徴とする。
【００２８】
従って、請求項９に記載の発明によれば、複数の座板片の中央に位置する座板片を中心に回動可能な複数の座板片の周囲に枠体が形成されることにより、複数の座板片の中央に位置する座板片を中心に、脚部を回転させ、脚部の上面部を、中央に位置する座板片と重なり合う位置（中央に位置する座板片内に収まる位置）にし、複数の座板片の中央に位置する座板片を中心に複数の座板片を脚部へ向けて回動させることにより複数の座板片と脚部とを重なり合わせると、回動させられた複数の座板片の周囲の枠体により、脚部の側方を覆うことを可能にする。
【００２９】
また、請求項１０に記載の発明は、請求項１乃至９のいずれかに記載の構成に加え、前記枠体は、前記座板片の面部に対して垂直となるように形成され、前記座板片同士の回動により前記枠体同士が接触可能であることを特徴とする。
【００３０】
従って、請求項１０に記載の発明によれば、複数の座板片の中央に位置する座板片を中心に、脚部を回転させて、脚部の上面部を中央に位置する座板片と重なり合う位置（中央に位置する座板片内に収まる位置）にし、複数の座板片の中央に位置する座板片を中心に複数の座板片を脚部へ向けて回動させることにより複数の座板片と脚部とを重なり合わせると、枠体は座板片に対して垂直に形成され、座板片の面部より突出しているため、枠体同士が接触し脚部を覆うことが可能になる。
【発明の効果】
【００３１】
本発明によれば、複数の座板片を用いて、複数の座板片に取り付けられた連結部材により、複数（両側）の座板片の中央に位置する座板片を中心に、中央に位置する座板片を挟んでいる複数（両側）の座板片を回動し、中央に位置する座板片と略水平な状態となる位置（所定の位置）まで回動した後、中央に位置する座板片に取り付けられた脚部を、中央に位置する座板片を中心に、脚部が複数の座板片を支持できる位置に回転させる。その結果、複数の座板片を略水平な位置にした状態から座板を形成し、保持することができる状態、つまり人が座ることができる座板を形成することになる。このように、折り畳まれた座板片から容易に座板を形成し、正座椅子としての機能を発揮することができる。
【００３２】
また、第二台板と中間板とをねじ状の溝で連結することにより、第二台板の回転により、第一台板（第二台板）に対して中間板を移動し容易に座板の高さを調節することができる。
【００３３】
複数の座板片の中央に位置する座板片を中心に回動可能な複数（両側）の座板片の周囲に枠体が形成されており、複数の座板片の中央に位置する座板片を中心に、脚部を回転し、脚部の上面部が中央に位置する座板片と重なり合う位置（中央に位置する座板片内に収まる位置）にし、中央に位置する座板片を中心に複数（両側）の座板片を回動させて複数（両側）の座板片と脚部とを重なり合わせると、回動させられた複数（両側）の座板片の周囲の枠体により脚部の側方を覆うことができる。従って、携帯用正座椅子は、このように座板片をコンパクトに折り畳むことができるため、容易に鞄等に入れることができ、持ち運びに便利である。
【発明を実施するための最良の形態】
【００３４】
以下、本発明を実施するための最良の形態について図面を参照して説明する。
【００３５】
図１及び図２には、本発明の携帯用正座椅子１の座板２の機構が示されている。座板２は、図１及び図２に示すように、同じ大きさの二枚の座板片３とその二枚の座板片３の中央に位置する座板片６の三枚の座板片３、６から構成されている。なお、図１及び図２では、座板片３、６の連結を分かり易くするために座板片３、３に形成された枠体２２は点線で示してある。図１は座板２を座る側（表側）から示しており、図２は座板２を裏側から示している。図１及び図２では、複数の座板片３、６を互いに連結することにより座板２を形成することが可能となるように複数の座板片３、６が設けられている。座板片３、６の連結は、連結された座板片３、６同士を互いに回動自在にし、二枚の座板片３が、二枚の座板片３の中央に位置する座板片６を中心に回動自在となるように行われている。
【００３６】
そして、座板片３と座板片６との連結は、図１から図４に示すように、蝶番と同様の働きをなす、板状の連結部材４及び板状の連結部材７を用いて行われている。具体的には、座板片３と座板片６との連結は、連結部材４、７を、図２に示すように、座板片３、６の裏側に設けることにより行っている。板状の連結部材４は、図２に示すように、連結部材７と連結する側では、筒状部４ａ、４ａが形成されており、筒状部４ａが形成された連結部材４の端部の中央が切り欠かれて凹部４ｂが形成されている。このように連結部材４の端部の中央に凹部４ｂを形成することにより連結部材４は略コ字状の形状になっている。
【００３７】
そして、この連結部材４は座板片３に取り付けられている。取り付けでは、図２に示すように、連結部材４の面部４ｃを座板片３の面部３ｃと重なり合わせて連結部材４と座板片３とを取り付けることになる。その際、連結部材４の端部の筒状部４ａと凹部４ｂとが座板片３の面部３ｃと重なり合わないで、連結部材４の端部の筒状部４ａと凹部４ｂが座板片３の端部から外へはみ出す位置になるようにする。このようにして座板片３に連結部材４を取り付けることで、座板片３の端部から連結部材４の筒状部４ａのみがはみ出し、その部分だけが突出した状態になっている（図２参照）。
【００３８】
板状の連結部材７は、図２に示すように、略十字状の形状をなしており、二枚の連結部材４、４（座板片３、３）により挟まれ、二枚の連結部材４、４と対向する位置である連結部材７の端部の中央部は、丸められ、筒状部７ａ、７ａが形成され、その中央部より両縁部に向けて凹部７ｂ、７ｂが形成されている（図３及び図４参照）。そして、この連結部材７は座板片６に取り付けられている。取り付けでは、図２に示すように、連結部材７の面部７ｃを座板片６の面部６ｃと重なり合わせて取り付けることになる。このとき、連結部材７の端部は、中央部より両縁部に向けて凹部７ｂ、７ｂが形成されており、連結部材７の幅方向の大きさと座板片６の幅方向の大きさとが略同一となっている。そのため、座板片６の端部から連結部材７の筒状部７ａ、７ａのみがはみ出し、その部分だけが突出した状態になっている（図２参照）。
【００３９】
そして、連結部材４を取り付けた座板片３二枚と、連結部材７を取り付けた座板片６とを連結することになる。連結部材４を取り付けた座板片３と連結部材７を取り付けた座板片６との連結は図３及び図４に示してある。図３及び図４では、連結の状態をわかり易くするために連結部材４、７のみを示してある。連結においては、まず、図３に示すように、連結部材４の筒状部４ａ、４ａの間の凹部４ｂへ連結部材７の筒状部７ａを挿入して組み込むことになる（矢印方向Ｙ）。このとき、連結部材７の端部の中央部から両縁部に向けて凹部７ｂ、７ｂが形成されているため、連結部材４の筒状部４ａ、４ａがその凹部７ｂ、７ｂの位置にくることになり、結果として、連結部材７の筒状部７ａを連結部材４の筒状部４ａ、４ａが挟み込むことになる。そのため、筒状部４ａ、４ａ、７ａが一体化し、連結した筒状部４ａ、４ａ、７ａとなる。
【００４０】
そして、この状態で、図３に示すように、連結部材４、７の筒状部４ａ、４ａ、７ａへいずれかの方向より、本例では矢印方向Ｘに従って、ピン等の支持部材８を挿入して連結部材４と連結部材７とを一体化することになる。ピン等の支持部材８を筒状部４ａ、４ａ、７ａへ挿入した後は、キャップ等の嵌合部材９によりピン等の支持部材８が抜けないように固定することになる。図４には、連結部材４（を取り付けた座板片３）と連結部材７（を取り付けた座板片６）と一体にした状態が示してある。このように、それぞれの凹部４ｂ、７ｂ、７ｂに筒状部７ａ、４ａ、４ａが対応して組み込まれており、連結部材４と連結部材７とが重なり合うことなく蝶番のように連結部材４、７同士は互いに回動自在な状態になっている。
【００４１】
具体的には、互いに対向している連結部材４、７の筒状部４ａ、４ａ、７ａと凹部４ｂ、７ｂ、７ｂとの間には隙間があるために、筒状部４ａ、４ａ、７ａ（ピンの支持部材８及びキャップ等の嵌合部材９）を中心に、連結部材４、７は互いに（矢印方向Ａ、Ｂへ）動くことが可能になっている。つまり、連結部材４（を取り付けた座板片３）に対して筒状部４ａ、４ａ、７ａ（ピンの支持部材８及びキャップ等の嵌合部材９）を中心に、連結部材７（を取り付けた座板片６）を矢印方向Ａへ回動させることも可能であるし、連結部材７（を取り付けた座板片６）に対して筒状部４ａ、４ａ、７ａ（ピンの支持部材８及びキャップ等の嵌合部材９）を中心に、連結部材４（を取り付けた座板片３）を矢印方向Ｂへ回動させることも可能である。
【００４２】
以上では、一方の連結部材４と連結部材７との連結について説明したが、他方の連結部材４と連結部材７との連結についても同様に行うことになる。
【００４３】
つぎに、上記に示すように、連結部材４、４を取り付けた座板片３、３と、連結部材７を取り付けた座板片６とを連結した座板２と中間板１１との連結について説明する。複数の座板片３、３、６（座板２）の中央位置（座板片６及び連結部材７の中央位置）には、図１及び図２に示すように、同一の大きさの座板片６の中央位置を貫通する孔６ｄと連結部材７の中央位置を貫通する孔７ｄとが重なり合って座板２の中央位置を貫通する孔２ａを形成している。この孔２ａへ、図５に示すように、矢印方向Ｃよりボルト等の固定部材１２を挿入することになる（図６（ａ）参照）。孔２ａの径は、図６（ｂ）に示すように、挿入されるボルト等の固定部材１２の径に比べ大きく、ボルト等の固定部材１２は孔２ａへ挿入されて、孔２ａ内で、孔２ａに接触することなく孔２ａに沿って回転することも可能になっている。ボルト等の固定部材１２を孔２ａに沿って回転させると、ボルト等の固定部材１２の頭部１２ａは座板片６上で回転することになる。
【００４４】
このように、図５の矢印方向Ｃからボルト等の固定部材１２を孔２ａへ挿入すると、図６（ａ）に示すように、ボルト等の固定部材１２の頭部１２ａは座板片６上にきて、端部１２ｂは、図６（ｂ）に示すように、孔２ａ（孔６ｄ及び孔７ｄ）より突き出ることになる。この突き出たボルト等の固定部材１２の端部１２ｂの一部を中間板１１に取り付けることになる。中間板１１は、図５に示すように、矩形形状の板状の部材であり、中間板１１の上面部１３は座板片６と略同一の幅（幅方向の大きさ）と長手方向の長さ（横方向の大きさ）とを有しており、中間板１１の上面部１３は座板片６内に収まるようになっている。つまり、中間板１１の上部面１３は座板片６内に重なり合うことが可能になっている。また、中間板１１の側面部１５は、座板片３の面部３ｃ内に収まる大きさになっている。つまり、中間板１１と座板片３とを重なり合わせると、中間板１１は座板片３内に収まるようになっており、具体的には、座板片３の周縁に、図１及び図２に示す座板片３の回りを囲む枠体２２が設けられても、その枠体２２に中間板１１が接触せずに座板片３内に収まる大きさになっている。
【００４５】
そして、ボルト等の固定部材１２の端部１２ｂと中間板１１との取り付けに際しては、図７に示すように、ボルト等の固定部材１２の端部１２ｂの一部を中間板１１の上面部１３に設けられた小孔１１ａへ挿入して固定することになる。本例における固定するための構造としてはボルト等の固定部材１２の端部１２ｂには、雄ねじ状の溝が設けられており（図６（ｂ）参照）、中間板１１の小孔１１ａには、図示しない雌ねじ状の溝を設けられていて、ボルト等の固定部材１２の端部１２ｂと中間板１１の小孔１１ａを螺合することで固定している。ただし、このようなねじ状の溝を設けることなく、ボルト等の固定部材１２の端部１２ｂを中間板１１の小孔１１ａへ圧入したり、ボルト等の固定部材１２の端部１２ｂと中間板１１の小孔１１ａとを接着剤等により接着したりする構造とすることも可能である。
【００４６】
このように、ボルト等の固定部材１２の端部１２ｂと中間板１１の小孔１１ａとを固定し、座板２の座板片６内に中間板１１が収まっている状態が図８に示してある。このとき、中間板１１上には連結部材７（を取り付けた座板片６）しかない状態である。従って、本来、座板片６に対して、連結部材４、７により、座板片３、３は中間板１１の方へ折り畳まれるはずであるが、図８では図示しない支えにより、座板片３、３が座板片６に対して略水平な状態となる位置（略水平な位置）に保持されている。そして、ボルト等の固定部材１２の端部１２ｂと中間板１１の小孔１１ａとが固定されており、ボルト等の固定部材１２が座板片６に対して回転可能になっているため中間板１１を回転させることができ、中間板１１を座板２に対してボルト等の固定部材１２（孔２ａ）を中心に回転させ任意の位置に位置決めすることが可能になっている。特に、座板２を安定した状態（複数の座板片３、６を支持できる位置）に保持するためには、中間板１１を図７及び図８に示す状態から９０゜回転させる必要があり、図７に示す矢印方向Ｄへ回転させたときの状態が図９及び図１０に示されている。
【００４７】
図８に示す矢印方向Ｄへボルト等の固定部材１２（孔２ａ）を中心に、つまり中央の座板片６に対して中間板１１を９０゜回転（所定の位置まで回転）させることによって、中間板１１を図７及び図８に示す状態から図９及び図１０に示す状態（座板片６に対して中間板１１を十字状に交叉した状態）にすることにより、中間板１１上には、図９に示すように、（連結部材４、７を取り付けた）座板片３、６があることになり、（連結部材４、７を取り付けた）座板片３、６を略水平な状態となる位置（略水平な位置）で保持することになる。このとき、中間板１１と連結部材４、７との間には、図９に示すように、若干の隙間ｗがあるため、中間板１１を回転させることができ、二枚の座板片３と座板片６とを略水平な状態となる位置で保持することが可能になる。このことにより、図１０に示すように、座板片３、６が略水平な状態となる位置（座板２が開いて）になり、座板片３、６が略同一平面を形成し、座板２としての機能が発揮できる状態となっている。
【００４８】
つぎに、座板片３、３、６（座板２）を保持する脚部１０の構成に関して、中間板１１、第一台板１６及び第二台板１９について説明する。図１１から図１３までにおいては、脚部１０の構成を明確にするために、座板２を取り除いた状態で示してある。中間板１１の中央の上面部１３のボルト等の固定部材１２が取り付けられた小孔１１ａは、図５及び図１１に示すように、下面部１４まで貫通しており（中間板１１を貫通しており）、小穴１１ａ内には、雌ねじ状の溝が形成されている。本例では、この雌ねじ状の溝が上面部１３から下面部１４まで設けられている。ただし、雌ねじ状の溝は必ずしも上面部１３から下面部１４まで形成されている必要はなく、上面部１３と下面部１４との間で所定の長さだけ設けるということであってもよい。
【００４９】
具体的には、中間板１１を貫通することなく、上面部１３から下面部１４に向けてボルト等の固定部材１２を固定するための所定の長さの雌ねじ状の溝が形成された小穴を設け、下面部１４から上面部１３に向けて所定の長さの雌ねじ状の溝が形成された小穴を設けることであってもよい。また、この小孔１１ａと並んで下面部１４には小穴１４ａ、１４ｂが設けられている。この小穴１４ａ、１４ｂは、図５及び図１１に示すように、下面部１４より上面部１３へ向けて所定の長さ（深さ）で設けられているが、上面部１３まで貫通されてはいない。本例では、所定の長さ（深さ）は下面部１４より上面部１３へ向けて下面部１４と上面部１３との間の中央位置となっている。ただし、下面部１４と上面部１３との間の中間位置である、１／３、或いは２／３の位置等とすることも可能である。そして、この中間板１１の下面部１４側には、図１１に示すように、台板となる第一台板１６、第二台板１９が取り付けられている。
【００５０】
第一台板１６は、図１１に示すように、略コ字状の形状をなしており、第一台板１６の上面部１７に中間板１１が取り付けられることになる。第一台板１６の上面部１７の中央部には下面部１８へ貫通し、第一台板１６を貫通する小孔１６ａが設けられている。この小孔１６ａは、中間板１１が第一台板１６に取り付けられると、中間板１１の小孔１１ａと連続する小孔となる。また、第一台板１６の上面部１７の中間板１１の、下面部１４の小穴１４ａ、１４ｂが設けられている箇所に対応する位置には突起部１７ａ、１７ｂが設けられている。この複数の突起部１７ａ、１７ｂは、それぞれ中間板１１の下面部１４の小穴１４ａ、１４ｂへ挿入されることになる。従って、突起部１７ａ、１７ｂの長さは小穴１４ａ、１４ｂの深さと略同一になっている。また、第一台板１６の略コ字状の形状によって形成された窪み部である空間部分２１には第二台板１９が組み込まれることになる。
【００５１】
第二台板１９は、図１１に示すように、第一台板１６の略コ字状の形状によって形成された空間部分２１に組み込まれることが可能となるような形状をなしており、この第二台板１９の上面部２０の中央には、突起部２０ａが設けられている。この突起部２０ａの先端から所定の位置までは雄ねじ状の溝が形成されている。そして、この突起部２０ａは、図１２に示すように、第二台板１９が第一台板１６に組み込まれたときに第一台板１６を貫通する小孔１６ａへ挿入され第一台板１６の上面部１７から突出して、突起部１７ａ、１７ｂと並んだ状態になる。また、第二台板１９は、第一台板１６に組み込まれた状態で、第一台板１６の小孔１６ａに挿入されている突起部２０ａを中心に、第一台板１６の略コ字状の形状によって形成された窪み部である空間部分２１で回転することが可能になっている。
【００５２】
そして、中間板１１と、第一台板１６及び第二台板１９との連結は以下のように行われている。図１２に示すように、中間板１１の下面部１４と第一台板１６の上面部１７とを連結する際には、中間板１１の下面部１４の小穴１４ａ、１４ｂへ第一台板１６の上面部の突起部１７ａ、１７ｂを挿入するために、第一台板１６の上面部１７から突出している突起部２０ａの雄ねじ状の溝を設けてある部分を、中間板１１の小孔１１ａ（雌ねじ状の溝）と螺合させることになる。そのために、第二台板１９を回転させて突起部２０ａを小孔１１ａ内へ進めることにより、突起部１７ａ、１７ｂも小穴１４ａ、１４ｂ内に挿入されることになり、最終的には、図１３に示すように、中間板１１と、第一台板１６及び第二台板１９とが連結され、脚部１０が形成されることになる。
【００５３】
つまり、中間板１１と、第一台板１６及び第二台板１９との連結は、突起部２０ａが小孔１１ａに挿入しつつ小穴１１ａとの螺合が完結し、突起部１７ａ、１７ｂが小穴１４ａ、１４ｂに挿入し終えることにより完了することになる。その状態は、図１３に示すように、中間板１１と第一台板１６及び第二台板１９とが一体化した状態になる。このように中間板１１と第一台板１６及び第二台板１９とが一体化した状態でも座板片３に収まることができる大きさである。つまり、図１４に示すように、座板片３の周縁に設けられた枠体２２内に、脚部１０（中間板１１と、第一台板１６及び第二台板１９と）が収まる大きさになっている。そして、脚部１０は、図１４に示すように、座板片３と重なり合った状態では座板片６、枠体２２により囲まれることになる。
【００５４】
つぎに、本発明である携帯用正座椅子１の使用方法について説明する。図１５に示すように、座板２は折り畳まれた状態、つまり、座板片３、３が連結部材４、７により座板片６に対して９０゜曲げられた状態となっている（座板片３、３が脚部１０と重なり合った状態となっている）。具体的には、座板２を支持する脚部１０（中間板１１と、第一台板１６及び第二台板１９と）は座板片３、３により挟まれた状態にあり、脚部１０（中間板１１と、第一台板１６及び第二台板１９と）の周囲は、座板片６と、座板片３、３の回りを囲むように設けられた枠体２２とにより覆われている。なお、本例においては、座板片６上のボルト等の固定部材１２の頭部１２ａが座板片６より突き出ているため座板片６に補助部材を重ねて座板片６と一体にして、頭部１２ａの突き出ている分を覆っている。具体的には、補助部材の頭部１２ａが当たる位置には図示しない小穴が設けられ、補助部材が座板片６と一体になると（重ね合わされると）、頭部１２ａは小穴へ入り込むようになっている。
【００５５】
この状態より、図１６に示すように、いずれか一方の座板片３を矢印方向Ｆへ移動させる。具体的には、座板片３が座板片６に対して９０゜に曲げられた状態から、座板片３を座板片６に対して略水平な状態となる位置へ、座板片６を中心に、連結部材４、７により回動させる。そして、図１７に示すように、座板片３を座板片６と略水平な状態となる位置まで回動させて、座板片３と座板片６とが水平になったところで、座板片３の座板片６に対する回動を停止する。座板片３は支持するものがなければ、座板片６と略水平な状態となる位置に保持することはできず、図１６には示していないが座板片３を回動させた手等で座板片３を保持することになる。
【００５６】
つぎに、図１７に示す座板片６に対して９０゜に曲げられた残りの他方の座板片３を、同様に座板片６に対して略水平な状態となる位置まで、座板片６を中心に、連結部材４、７により回動させる。そして、図１８に示すように、座板片３を座板片６と略水平な状態となる位置まで回動させて、座板片３と座板片６とが略水平な状態となる位置になったところで、座板片３の座板片６に対する回動を停止する。座板片６と座板片３、３が略水平な状態となる位置となると、全体としては正面（側方）から見るとＴ字状の状態となる。このときも、座板片３は支持するものがなければ、座板片６と略水平な状態となる位置にとどまることはできず、図１８には示していないが座板片３を回動させた手等で座板片３を保持することになる。
【００５７】
以上においては、座板片３を一方毎に座板片６に対して略水平な状態となる位置へ回動させているが、必ずしも座板片３を一方毎に座板片６に対して回動させる必要はなく、両方の座板片３、３を同時に回動させて、座板片６と略水平な状態となる位置にすることも可能である。この場合であっても、座板片３、３は支持するものがなければ、座板片６に対して略水平な状態となる位置にとどまることはできず、座板片３、３を回動させた手等で座板片３、３を保持することになる。
【００５８】
そして、携帯用正座椅子１が全体としてはＴ字状の状態となった状態で、座板片６を中心に、図１８に示す矢印方向Ｇへ脚部１０（中間板１１と、第一台板１６及び第二台板１９と）を回転させる。中間板１１にはボルト等の固定部材１２が取り付けられており、脚部１０（中間板１１と、第一台板１６及び第二台板１９と）はボルト等の固定部材１２を中心に座板片６に対して回転する。このとき矢印方向Ｇの回転は、図１９に示すように、脚部１０（中間板１１）が座板片６に対して直交するような状態（十字状に交叉した状態）となる位置である所定の位置まで行う。つまり、図１９及び図２０に示すように、脚部１０（中間板１１）が座板片６だけを支持するのではなく、座板片３、３を支持できる位置（複数の座板片３、６を支持できる位置）にする。具体的には中間板１１と座板片６とが直交するような状態（十字形状の状態）にすることにより、中間板１１が座板片３、３も安定して支えられる状態になり、座板２を保持することが可能となる。
【００５９】
そして、第一台板１６の略コ字状の形状によって形成された空間部分２１に組み込まれている第二台板１９を空間部分２１で回転させ、図２０に示すように、点線で示す第二台板１９を回転させ実線で示す第二台板１９の位置にする。この位置は第一台板１６に対して第二台板１９が直交する位置である。このように、図２０に示す状態により人が正座椅子として使用することが可能になる。つまり、人がこの携帯用正座椅子１の座板２へ腰を下ろし、膝を曲げて膝から踵の部分を座板２と床との間へ入れて使用することになる。この場合、人がこの携帯用正座椅子１へ座ると座板２に人の体重が加わることになる。座板２全体へ人の体重が加わって座板２全体へ押圧が働くが、脚部１０（中間板１１と第一台板１６及び第二台板１９と）により、その押圧に対する抵抗力が働き、人の体重を座板２で支え、人の体重が直接的に膝関節、脹ら脛等に加わらずこの携帯用正座椅子１が正座椅子としての機能を果たすことになる。
【００６０】
また、人はそれぞれ体格が異なっており、特に体が大きい人の場合、図２０に示す正座椅子の高さ（座板２の高さ）が合わない場合もある。その場合には、第一台板１６に組み込まれた第二台板１９を回転する。第二台板１９を、図２１に示す矢印方向Ｈへ回転することにより、第二台板１９に設けられた突起部２０ａも回転する。突起部２０ａの中間板１１の小孔１１ａ内にある部分は雄ねじ状の溝が設けられて中間板１１の小孔１１ａの雌ねじ状の溝と噛み合っており、突起部２０ａの回転により中間板１１を第一台板１６から離す方向（遠ざける方向）へ移動させる。その結果、座板２及び中間板１１は第一台板１６から離れて行き、座板２の位置を高くすることが可能になる。このように、座板２の位置を高くすることにより体が大きい人でもこの携帯用正座椅子１を用いることが可能になる。なお、この携帯用正座椅子１は図２０及び図２１に示す状態で小型の腰掛け椅子として用いることも可能である。この場合においても座る人の体格に応じて座板２の高さを第二台板１９により調節することにより座りやすい高さに設定することが可能である。
【００６１】
さらに、体が大きい、小さいに拘わらずこの携帯用正座椅子１に座っている人が座った状態で、例えば体をねじる等の動作を行っても、この携帯用正座椅子１が変形し難くなっている。つまり、第一台板１６の上面部１７の突起部１７ａ、１７ｂが中間板１１の下面部１４に設けられた小孔１４ａ、１４ｂに挿入されている。そのため、この携帯用正座椅子１に座っている人が体をねじる等の動作を行って、第一台板１６に対して中間板１１をねじれ位置へ回転させようとする力が加わっても、第一台板１６に対して（座板２を含めた）中間板１１が回転し難くなっている。
【００６２】
以上のようにして携帯用正座椅子１を使用した後は、まず図２１に示すように座板２の位置が高くなっている場合には図２１に示す矢印方向Ｈとは逆に第二台板１９を回転させ、中間板１１を第一台板１６へ近づけて（座板２の位置を低くすることで）、座板２の位置を図２０に示す元の位置に戻す。そして、第一台板１６の空間部分２１に組み込まれ、第一台板１６に対して直交する状態にある実線で示す第二台板１９を図２０における点線で示す第二台板１９の状態に戻す。つぎに、脚部１０（中間板１１と、第一台板１６及び第二台板１９と）をボルト等の固定部材１２を中心に座板２に対して９０゜回転させる。つまり、脚部１０（中間板１１）が座板片６に対して直交するような状態（図１９参照）から中間板１１の上面部１３が座板片６内に収まる状態へ戻す。具体的には、図１８に示すように、中間板１１を座板片６と重なり合わす。
【００６３】
中間板１１を座板片６と重なり合わせることにより、座板片３、３を支えていた中間板１１がなくなり、座板片３、３は座板片６に対して略水平な状態となる位置が保持することができなる。そのため、座板片３、３は連結部材４、７により、座板片６を中心に回動できる状態になる。そして、座板片３、３を、脚部１０（中間板１１と、第一台板１６及び第二台板１９と）を挟み込むように回動させる。最終的には、図１５に示すように、座板片３、３を、連結部材４、７により座板片６に対して９０゜曲げられた状態にする（座板片３、３が脚部１０と重なり合った状態となる）。このような状態にすることにより、脚部１０（中間板１１と、第一台板１６及び第二台板１９と）は座板片３、３により挟まれた状態になる。その結果、座板片６及び、座板片３、３の回りを囲むように設けられた枠体２２、２２同士が接触することにより、中間板１１と、第一台板１６及び第二台板１９との周囲は、覆い隠される。
【００６４】
本発明の携帯用正座椅子１における、座板片３、３、６、中間板１１、第一台板１６及び第二台板１９は木製の部材により成形することが可能である。また、携帯用正座椅子１の大量生産等を考慮して、木製の部材の他に強化プラスチック等を用いることで一体成形することも可能である。
【図面の簡単な説明】
【００６５】
【図１】本発明の携帯用正座椅子の座板の連結を表側から示す斜視図である。
【図２】本発明の携帯用正座椅子の座板の連結を裏側から示す斜視図である。
【図３】連結部材同士の連結構造を示す分解斜視図である。
【図４】連結部材同士の連結を示す斜視図である。
【図５】複数の座板片と中間板との連結を示す分解斜視図である。
【図６】座板片へ固定部材の挿入を示す説明図である。（ａ）は座板片への固定部材を挿入した状態を示す斜視図である。（ｂ）は（ａ）のＥ−Ｅ線に沿う断面図である。
【図７】複数の座板片を介して固定部材と中間板との取り付けを示す部分拡大図である。
【図８】複数の座板片と中間板とを連結した状態を示す斜視図である。
【図９】座板（複数の座板片）を中間板が支持する状態を示す概略正面図である。
【図１０】座板（複数の座板片）を中間板が支持する状態を示す斜視図である。
【図１１】脚部（中間板と、第一台板及び第二台板と）の連結を示すための分解斜視図である。
【図１２】中間板と連結するために、第一台板と第二台板との連結を示す斜視図である。
【図１３】脚部（中間板と、第一台板及び第二台板と）の連結状態を示す斜視図である。
【図１４】脚部（中間板と、第一台板及び第二台板と）が枠体で囲まれた座板片内に収納された状態を示す斜視図である。
【図１５】座板を折り畳んで座板片により脚部を収納した携帯用正座椅子の斜視図である。
【図１６】座板片が回動し始める状態を示した携帯用正座椅子の斜視図である。
【図１７】一方の座板片を中央の位置の座板片に対して水平となる位置まで回動させた状態を示す携帯用正座椅子の斜視図である。
【図１８】両方の座板片を中央の位置の座板片に対して水平となる位置まで回動させた状態を示す携帯用正座椅子の斜視図である。
【図１９】脚部を中央の座板片を中心に、中央の座板片に対して直交する位置まで回転させた状態を示す携帯用正座椅子の平面図である。
【図２０】使用時における本発明の携帯用正座椅子の斜視図である。
【図２１】座板の高さ調整を行った使用時における本発明の携帯用正座椅子の斜視図である。
【図２２】ポーチ型正座椅子の斜視図である。
【符号の説明】
【００６６】
１…携帯用正座椅子、２…座板、３、６…座板片、４、７…連結部材、８…支持部材、９…嵌合部材、１０…脚部、１１…中間板、１２…固定部材、１３…上面部、１４…下面部、１６…第一台板、１７…上面部、１９…第二台板、２０…上面部、２１…空間部分（窪み部）、２２…枠体
【図１】
2005204758.tif 000003
【図２】
2005204758.tif 000004
【図３】
2005204758.tif 000005
【図４】
2005204758.tif 000006
【図５】
2005204758.tif 000007
【図６】
2005204758.tif 000008
【図７】
2005204758.tif 000009
【図８】
2005204758.tif 000010
【図９】
2005204758.tif 000011
【図１０】
2005204758.tif 000012
【図１１】
2005204758.tif 000013
【図１２】
2005204758.tif 000014
【図１３】
2005204758.tif 000015
【図１４】
2005204758.tif 000016
【図１５】
2005204758.tif 000017
【図１６】
2005204758.tif 000018
【図１７】
2005204758.tif 000019
【図１８】
2005204758.tif 000020
【図１９】
2005204758.tif 000021
【図２０】
2005204758.tif 000022
【図２１】
2005204758.tif 000023
【図２２】
2005204758.tif 000024